(57)【要約】本発明は、使い捨ての食品蒸し器用トレイに関し、容器内で下端部が支持されて直立する支持台と、前記支持台の上部に水平にかつ一定面積を有するように形成され、多数の通孔が形成されている上板とで構成され、支持台は、上板の底面に接着されるか、又は上端に結合部が形成され、上板に形成されているスリットに嵌められて結合されるようにし、支持台と上板とが分離又は結合できるようにし、又は上板の一側又は両側に形成され、上板と支持台との連結部位には折りホール又は折り線が形成され、支持台を上板に対して直角になるように立てて対向するように配置し、両端部を互いに交差させてそれぞれの嵌め溝を結合させることで、側壁を形成してなる。本発明に係る使い捨ての食品蒸し器用トレイを使用して簡単に料理することができ、衛生的で、野外活動時にも簡単に冷凍食品の蒸し料理が可能になるという効果がある。【選択図】図１６
2017530729.tif 000002
【特許請求の範囲】
【請求項１】
一定面積を有し、多数の通孔が形成されている上板と、
前記上板の下部に垂直に立てられて側壁を形成し、容器内で下端部が支持されて直立する支持台と、を含み、
前記上板は、大きさごとにそれぞれの直径を有する複数の切取部が同心円状で多数形成され、前記複数の切取部は、点線形態の破砕孔が連続して形成されてなり、
前記支持台は、上部に接合片部が形成され、前記上板の底面に接着されることを特徴とする使い捨ての食品蒸し器用トレイ。
【請求項２】
一定面積を有し、多数の通孔が形成されている上板と、
前記上板の下部に垂直に立てられて側壁を形成し、容器内で下端部が支持されて直立する支持台と、を含み、
前記支持台は、上端に複数の結合部が突出して形成され、前記上板には、前記結合部が嵌められるスリットが形成され、支持台と上板とが分離又は結合できるように構成され、
前記支持台の上端に形成されている複数の結合部のうち一部は、他より更に長く突出し、取っ手になるようにしたことを特徴とする使い捨ての食品蒸し器用トレイ。
【請求項３】
一定面積を有し、多数の通孔が形成されている上板と、
前記上板の両側に連結されて形成され、両端部に嵌め溝が形成されている複数の支持台と、を含み、
前記複数の支持台と上板とが連結される部位に折り線が形成され、
前記複数の支持台を折り線に沿って折り、上板に対して垂直方向に立て、支持台の両端部を互いに交差させてそれぞれの嵌め溝同士を結合させることで、側壁を形成して直立させることができ、
前記側壁には不規則な折り線が形成され、前記折り線を内側又は外側に折り曲げ剛性を補強するようにしたことを特徴とする使い捨ての食品蒸し器用トレイ。
【請求項４】
一定面積を有し、多数の通孔が形成されている上板と、
前記上板の一側に連結されて形成され、両端部に嵌め溝が形成されている支持台と、を含み、
前記支持台と上板とが連結される部位に折り線が形成され、
前記支持台を折り線に沿って折り、上板に対して垂直方向に立て、支持台の両端部を互いに交差させてそれぞれの嵌め溝を結合させることで、側壁を形成して直立させることができ、
前記側壁には不規則な折り線が形成され、前記折り線を内側又は外側に折り曲げて剛性を補強するようにしたことを特徴とする使い捨ての食品蒸し器用トレイ。
【請求項５】
一定面積を有し、多数の通孔が形成されている上板と、
前記上板の一側に連結されて形成され、両端部に嵌め溝が形成されている支持台と、を含み、
前記支持台と上板とが連結される部位に折りホールが形成され、
前記支持台を折りホールに沿って折り、上板に対して垂直方向に立て、支持台の両端部を互いに交差させてそれぞれの嵌め溝を結合させることで、側壁を形成して上板内側で直立させることができることを特徴とする使い捨ての食品蒸し器用トレイ。
【請求項６】
一定面積を有し、多数の通孔が形成されている上板と、
前記上板の両側で対称に長方形の形状でなり、嵌め溝が形成されている第１の支持台と第２の支持台と、を含み、
前記第１の支持台と第２の支持台とを上板に対して直角になるように立てて対向するように配置し、第１の支持台と第２の支持台との両端部を互いに交差させてそれぞれの嵌め溝を結合させることで、側壁を形成してなることを特徴とする使い捨ての食品蒸し器用トレイ。
【請求項７】
一定面積を有し、多数の通孔が形成されている上板と、
前記上板の一側に連結されて形成され、一側の上部に接合片部が形成されている支持台と、を含み、
前記支持台と上板とが連結される部位に折り線が形成され、
前記支持台を折り線に沿って折り、上板に対して垂直方向に立て、側壁を形成して直立させることができるようにし、前記接合片部を上板の底面に接着することで、立面体状に組み立てられ、
前記側壁には不規則な折り線が形成され、前記折り線を内側又は外側に折り曲げて剛性を補強するようにしたことを特徴とする使い捨ての食品蒸し器用トレイ。
【請求項８】
一定面積を有し、多数の通孔が形成されている上板と、
前記上板の一側に連結されて形成され、一側の上部に接合片部が形成されている支持台と、を含み、
前記支持台と上板とが連結される部位に折りホールが形成され、
前記支持台を折りホールに沿って折り、上板に対して垂直方向に立て、側壁を形成して直立させることができるようにし、前記接合片部を上板の底面に接着することで、立面体状に組み立てられ、
前記側壁には不規則な折り線が形成され、前記折り線を内側又は外側に折り曲げて剛性を補強するようにしたことを特徴とする使い捨ての食品蒸し器用トレイ。
【請求項９】
前記上板と複数の支持台との連結部位には折りホール又は折り線が形成されていることを特徴とする請求項６に記載の使い捨ての食品蒸し器用トレイ。
【請求項１０】
前記支持台及び上板は、紙材質からなることを特徴とする請求項１から請求項８のいずれか一項に記載の使い捨ての食品蒸し器用トレイ。
【請求項１１】
前記支持台及び上板は、耐熱性合成樹脂がコーティングされていることを特徴とする請求項１から請求項８のいずれか一項に記載の使い捨ての食品蒸し器用トレイ。
【請求項１２】
前記支持台の内部に挿入され、前記上板の中央を支持する補助支持台を更に含み、
前記補助支持台は、板紙を縦方向に「＞」の形態に折って形成され、上端は上板の底面に支持され、下端は容器の底面に支持されることを特徴とする請求項１から請求項８のいずれか一項に記載の使い捨ての食品蒸し器用トレイ。
【請求項１３】
前記支持台の側壁には不規則な折り線が形成され、前記折り線を内側又は外側に折り曲げて剛性を補強するようにしたことを特徴とする請求項１、請求項２、請求項５及び請求項８のいずれか一項に記載の使い捨ての食品蒸し器用トレイ。
【請求項１４】
前記上板は、大きさごとにそれぞれの直径を有する複数の切取部が同心円状で多数形成され、
前記複数の切取部は、点線の形態の破砕孔が連続して形成されてなり、一側に取っ手部が形成されてなることを特徴とする請求項２から請求項８のいずれか一項に記載の使い捨ての食品蒸し器用トレイ。
【請求項１５】
前記支持台は、四角形又は多角形、円筒形で形成され、複数の折り線又はカッティング線を形成し、折り畳むことができるようにしたことを特徴とする請求項１から請求項８のいずれか一項に記載の使い捨ての食品蒸し器用トレイ。
【発明の詳細な説明】
【技術分野】
【０００１】
本発明は、使い捨ての食品蒸し器用トレイに関し、より詳しくは、調理用鍋や電子レンジ内に据え置き、食べ物を載せることができるようにし、蒸気又は熱源によって食べ物が蒸されるようにする使い捨ての食品蒸し器用トレイに関する。
【背景技術】
【０００２】
一般に、お餅、餃子、あんまんなどの冷凍食品は、蒸し器に入れて蒸気で蒸して食べるか、又は電子レンジに入れて加熱して食べる。蒸し料理をする時には、蒸し器の中に食べ物を載せることができるトレイ（以下、「トレイ」という）を容器の底面と離隔して配置し、トレイの上部に食べ物を載せた後、トレイの下部に水を一定量入れて加熱し、蒸気で蒸して食べる。トレイは、ステンレス板材であり、微細通孔が形成されているもので、簡単に加熱ができるようにしたものを使用する。
【０００３】
特許文献１（韓国登録実用新案第２０−０２８７４３６号公報）には、「蒸し用支持板」を開示している。これは、お肉を、加熱している汁に入れることなく、汁が入っている容器内で支持されている蒸し用支持台に載せるようにした状態で、汁の加熱によって発生する水蒸熱によってお肉などの内容物を蒸し、出来上がった内容物を食べながら支持台の下部に位置して加熱されている汁を簡単にすくって食べられるようにしたものである。
【０００４】
一方、従来には、冷凍食品を料理する際に、蒸し器は別の蒸し器を備えなければならないので、料理しづらいという問題点があった。更に、電子レンジを利用して調理する場合には、皿のような容器に食べ物を載せて一定時間加熱して調理するようになるが、食べ物の底面は皿と接触する部位であるため、加熱が均等に行われず、蒸しが足りなくなるか又は湿気で湿っぽくなり、味が低下する短所があった。
【先行技術文献】
【特許文献】
【０００５】
【特許文献１】韓国登録実用新案第２０−０２８７４３６号公報
【発明の概要】
【発明が解決しようとする課題】
【０００６】
本発明は、前記した従来技術の問題点を解消するために案出されたもので、蒸気を利用する蒸し器やマイクロ波を利用して加熱する電子レンジの両方に適用可能であり、簡単に組み立てて蒸し器用トレイを作り、１回の使用後に廃棄することで、衛生性が向上し、使用が簡単な使い捨ての食品蒸し器用トレイを提供することにその目的がある。
【課題を解決するための手段】
【０００７】
前記した本発明の目的は、容器内で下端部が支持されて直立する支持台と、前記支持台の上部に水平にかつ一定面積を有するように形成され、多数の微細通孔が形成されている上板とで構成され、前記支持台は、上部に接合片部が形成され、前記上板の底面に接着されることを特徴とする使い捨ての食品蒸し器用トレイによって達成することができる。
【０００８】
一方、本発明の目的は、一定面積を有し、多数の通孔が形成されている上板と、前記上板の一側又は両側に連結されて形成され、両端部に嵌め溝が形成されている支持台と、を含み、前記支持台と上板とが連結される部位に折り線又は折りホールが形成され、前記支持台を折り線又は折りホールに沿って折り、上板に対して垂直方向に立て、支持台の両端部を互いに交差させてそれぞれの嵌め溝を結合させることで、側壁を形成して上板内側で直立させることができることを特徴とする使い捨ての食品蒸し器用トレイによって達成することができる。
【０００９】
本発明は、一定面積を有し、多数の通孔が形成されている上板と、前記上板の一側に連結されて形成され、一側又は両側の上部に接合片部が形成されている支持台と、を含み、前記支持台と上板とが連結される部位に折り線又は折りホールが形成され、前記支持台を折り線又は折りホールに沿って折り、上板に対して垂直方向に立て、側壁を形成して直立させることができることを特徴とする使い捨ての食品蒸し器用トレイによって達成することができる。
【００１０】
前記支持台の内部に挿入され、前記上板の中央を支持する補助支持台を更に含み、前記補助支持台は、板紙を縦方向に「＞」の形態に折りて形成され、上端は上板の底面に支持され、下端は容器の底面に支持されることを特徴とする。
【００１１】
前記支持台は、四角形又は多角形、円筒形で形成され、複数の折り線又はカッティング線を形成することで、折り畳むことができるようにしたことを特徴とする。
【発明の効果】
【００１２】
本発明によると、簡単な使い捨ての蒸し器用トレイを用いて、簡単に料理することができ、衛生的で、野外活動時にも簡単に冷凍食品の蒸し料理が可能になるという効果がある。
【００１３】
更に、従来の蒸し器用トレイを用いる場合、調理後に蒸し器用トレイから冷凍食品が容易に分離できるように、布や紙などの別の分離手段が必要になるが、本発明に係る使い捨ての蒸し器用トレイは、冷凍食品が容易に分離され、使用が簡単という利点がある。
【図面の簡単な説明】
【００１４】
【図１】本発明の第１の実施例に係る使い捨ての食品蒸し器用トレイを示した分解斜視図である。
【図２】本発明の第１の実施例に係る使い捨ての食品蒸し器用トレイを示した結合された断面図である。
【図３】本発明の第１の実施例に係る使い捨ての食品蒸し器用トレイの支持台を折った状態を示す図である。
【図４】支持台を展開した状態を示す図である。
【図５】本発明の第２の実施例に係る使い捨ての食品蒸し器用トレイにおいて、「支持台」の他の実施例を示した斜視図である。
【図６】本発明の第２の実施例に係る使い捨ての食品蒸し器用トレイにおいて、「支持台」の他の実施例を示した斜視図である。
【図７】本発明の第３の実施例に係る使い捨ての食品蒸し器用トレイを示した展開図である。
【図８】本発明の第３の実施例の他の実施例に係る使い捨ての食品蒸し器用トレイを示した展開図である。
【図９】本発明の第３の実施例の他の実施例に係る使い捨ての食品蒸し器用トレイを示した結合斜視図である。
【図１０】本発明の第４の実施例に係る使い捨ての食品蒸し器用トレイを示した展開図である。
【図１１】本発明の第４の実施例に係る使い捨ての食品蒸し器用トレイの結合された底面図である。
【図１２】本発明の第４の実施例の他の実施例に係る使い捨ての食品蒸し器用トレイを示した展開図である。
【図１３】本発明の第４の実施例の他の実施例に係る使い捨ての食品蒸し器用トレイの結合された斜視図である。
【図１４】本発明の第４の実施例の他の実施例に係る使い捨ての食品蒸し器用トレイの結合された斜視図である。
【図１５】本発明の第５の実施例に係る使い捨ての食品蒸し器用トレイを示した展開図である。
【図１６】本発明の第６の実施例に係る使い捨ての食品蒸し器用トレイを示した展開図である。
【図１７】本発明の第６の実施例に係る使い捨ての食品蒸し器用トレイを示した斜視図である。
【図１８】本発明の第６の実施例に係る使い捨ての食品蒸し器用トレイを示した底面図である。
【図１９】（ａ）から（ｃ）は、本発明の第７の実施例に係る使い捨ての食品蒸し器用トレイを示した展開図である。
【図２０】（ａ）から（ｃ）は、前記図１９に対する結合された斜視図である。
【図２１】（ａ）から（ｃ）は、本発明の第８の実施例の他の実施例に係る使い捨ての食品蒸し器用トレイを示した展開図である。
【図２２】本発明の様々な実施例に係る使い捨ての食品蒸し器用トレイの「補助支持台」が適用された底面図である。
【図２３】本発明に係る使い捨ての食品蒸し器用トレイにおいて、「支持台」に対する様々な実施例を示す図である。
【図２４】本発明に係る使い捨ての食品蒸し器用トレイにおいて、「支持台」に対する様々な実施例を示す図である。
【図２５】本発明に係る使い捨ての食品蒸し器用トレイにおいて、「支持台」に対する様々な実施例を示す図である。
【図２６】本発明に係る使い捨ての食品蒸し器用トレイにおいて、「上板」の他の実施例を示した平面図である。
【図２７】本発明に係る使い捨ての食品蒸し器用トレイにおいて、「上板」の通孔に対する他の実施例を示す図である。
【発明を実施するための形態】
【００１５】
本発明に係る使い捨ての食品蒸し器用トレイは、一定面積を有し、多数の通孔が形成されている上板と、前記上板の両側で対称に長方形の形状でなり、嵌め溝が形成されている第１の支持台と第２の支持台とを含み、前記第１の支持台と第２の支持台とを上板に対して直角になるように立てて対向するように配置し、第１の支持台と第２の支持台との両端部を互いに交差させてそれぞれの嵌め溝を結合させることで、側壁を形成してなる。
【００１６】
以下、本発明の好ましい実施例を、添付の図面に基づき詳しく説明すると、次の通りである。
【００１７】
下記で説明する実施例は、本発明の属する技術分野において通常の知識を有する者が容易に発明を実施することができるほど詳しく説明するためのもので、これによって、本発明の技術的な思想及び範疇が限定されるものを意味することはない。
【００１８】
また、図面に示した構成要素の大きさや形状などは、説明の明瞭性と便宜のために誇張して示すことがあり、本発明の構成及び作用を考慮して特別に定義された用語は、使用者、運用者の意図又は慣例によって変わることができ、このような用語に対する定義は、本明細書全般にかけての内容に基づき決めなければならないことを明らかにする。
【００１９】
［第１の実施例］
添付の図面のうち、図１は本発明に係る使い捨ての食品蒸し器用トレイを示した分解斜視図、図２は本発明に係る使い捨ての食品蒸し器用トレイを示した結合された断面図、図３は本発明の第１の実施例に係る使い捨ての食品蒸し器用トレイの支持台を折った状態を示す図であり、図４は支持台を展開した状態を示す図である。
【００２０】
図１乃至図３に示したように、本発明に係る使い捨ての食品蒸し器用トレイＡ１は、食品蒸し用容器内で下端部が支持されて直立する支持台１００と、支持台１００の上部に水平にかつ一定面積を有するように形成され、多数の微細通孔２０２が形成されている上板２００とからなり、支持台１００は、上部に接合片部１２０が形成され、上板２００の底面に接着される。
【００２１】
好ましくは、上板２００は、１回の使用後に廃棄することができるように安価な紙材質からなる。又は、上板２００は、パルプで形成されている板紙にポリエチレンがコーティングされてなる。又は、上板２００は、アルミニウムホイルからなる。
【００２２】
支持台１００は、四角形又は多角形、円筒形で形成され、所定の厚さを有する紙材質の板紙からなることで、支持力を発揮することができる。更に好ましくは、支持台１００は、パルプで形成されている板紙にポリエチレンがコーティングされてなる。したがって、防水性を有し、高温でも安定的にコーティングされた状態を維持することができる。また、支持台１００の外面、特に下端は、耐熱性合成樹脂がコーティングされて仕上げ部１０９が形成されることで、浸水しないようにする。支持台１００の下端は、容器の底面に支持されるが、容器の内部には水が貯蔵されているため、水の中で一定時間浸されていても浸水しないように仕上げ部１０９が形成される。又は、支持台１００はアルミニウムホイルからなる。支持台１００及び上板２００がアルミニウムホイルである場合には、接着される方式ではなく、支持台１００及び上板２００が一体型、組立型、折り曲げ型の結合方法を取る。
【００２３】
一方、図２２に示したように、支持台１００の内部に挿入され、上板２００の中央を支持する補助支持台３００が更に含まれる。補助支持台３００は、板紙を縦方向に「＞」の形態に折って形成され、上端は上板２００の底面に支持され、下端は容器の底面に支持される。
【００２４】
一方、図２３に示したように、支持台１００は、四角形又は多角形、円筒形で形成されるが、側壁に複数の折り線１０１を形成して折り畳むことができるようにする。
【００２５】
したがって、保管する場合には、折り線１０１に沿って折り、支持台１００の嵩を縮小して保管することができ、使用する場合にのみ、支持台１００を繰り広げて立てるものである。
【００２６】
又は、図２４に示したように、支持台１００は、四角形又は多角形、円筒形で形成され、側壁に複数のカッティング線１０３を形成し、折って立てることができるようにする。
【００２７】
一方、図に示したように、支持台１００の側壁には、不規則な折り線１０５が形成され、前記折り線１０５を内側又は外側に折り曲げて剛性を補強することができる。
【００２８】
一方、上板２００は、円形の板状からなる。もちろん、円形に限定する必要はない。また、図２６に示したように、上板２００は、大きさごとにそれぞれの直径を有する複数の切取部２３０が同心円状で多数形成されてなるものにし、直径の大、中、小によって３つに分割することができる。もちろん、分割される個数が増減可能なことは当然のことである。複数の切取部２３０は、点線の形態の破砕孔が連続して形成されてなり、一側に半円状の取っ手部２３２が形成され、取っ手部２３２には通孔が形成される。又は、図２７のように、上板２００ａの中央には通孔がなく、外周縁に通孔２０６’が形成される形態で製作することもでき、前記外周縁に形成されている通孔２０６’を介して蒸気が排出される。後述する他の実施例でも同様であり、これに対する重複説明は省略する。
【００２９】
［第２の実施例］
更に、他の実施例として、図５に示したように、食品蒸し用容器内で下端部が支持されて直立する支持台１００と、支持台１００の上部に水平にかつ一定面積を有するように形成され、多数の微細通孔２０２が形成されている上板２００とで構成され、支持台１００は、上端に結合部１３０が突出して形成され、上板２００には、結合部１３０が嵌められるスリット２１０が形成され、支持台１００と上板２００とを分離又は結合することができる。
【００３０】
図６に示したように、支持台１００の上端に形成されている複数の結合部１３０のうち一部は、他より更に長く突出させ、取っ手１５０になるようにする。取っ手１５０は丸く形成され、中央に通孔１５１を形成して輪状を成すようにし、手でつかむか、又は箸を通して持ち上げることができるようにする。
【００３１】
［第３の実施例］
図７は本発明の第３の実施例に係る使い捨ての食品蒸し器用トレイを示した展開図、図８は本発明の第３の実施例の他の実施例に係る使い捨ての食品蒸し器用トレイを示した展開図であり、図９は図８の結合斜視図である。
【００３２】
第３の実施例に係る使い捨ての食品蒸し器用トレイＡ３は、一定面積を有し、多数の通孔２０２ａが形成されている上板２００ａと、前記上板２００ａの両側で対称に形成され、両側に嵌め溝２７０ａが形成されている複数の支持台１００ａ、１００ｂとを含み、前記支持台１００ａ、１００ｂと上板２００ａとがつながる部位に折り線Ｌ１が形成され、前記複数の支持台１００ａ、１００ｂを折り線Ｌ１に沿って折り、上板２００ａに対して垂直方向に立てて対向するように配置し、前記複数の支持台１００ａ、１００ｂの両側を互いに交差させてそれぞれの嵌め溝２７０ａを結合させることで、側壁を形成するようにして直立させる。
【００３３】
したがって、上板２００ａと支持台１００ａ、１００ｂとが接する折り線Ｌ１が直線に折られて用いられ、製作が簡単であり、無理やり折ることがなく、耐久性が向上する。上板２００ａは円形で形成される。もちろん、円形に限定する必要はない。
【００３４】
一方、図８に示したように、第３の実施例の他の実施例に係る使い捨ての食品蒸し器用トレイＡ３’は、多数の通孔２０２ａを有する四角形の上板２００ａと、前記上板２００ａの両側で対称に形成され、両側に嵌め溝２７０ａが形成されている第１の支持台１００ａ及び第２の支持台１００ｂとを含み、第１の支持台１００ａ及び第２の支持台１００ｂと上板２００ａとがつながる部位に、切開線Ｃ１と折り線Ｌ２とが形成され、折り線Ｌ２の両端につながって第１の支持台１００ａ及び第２の支持台１００ｂに垂直に折り線Ｌ３が形成されてなる。
【００３５】
したがって、図９に示したように、第１の支持台１００ａ及び第２の支持台１００ｂを上板２００ａに対して直角になるように立て、第１の支持台１００ａ及び第２の支持台１００ｂを傾斜するように折り曲げ、略六角形になるようにした後、第１の支持台１００ａ及び第２の支持台１００ｂの両側を互いに交差させてそれぞれの嵌め溝２７０ａを結合させることで、側壁を形成して直立させることができる。
【００３６】
［第４の実施例］
図１０は本発明の第４の実施例に係る使い捨ての食品蒸し器用トレイを示した展開図及び結合された底面図、図１１は展開図及び結合された斜視図である。
【００３７】
第４の実施例に係る使い捨ての食品蒸し器用トレイＡ４は、一定面積を有し、多数の通孔２０２が形成されている上板２００ａと、前記上板２００ａの一側に連結されて形成され、両側に嵌め溝２７０ａが形成されている支持台１００ａとを含み、前記支持台１００ａと上板２００ａとが連結される部位に折り線Ｌ２が形成され、支持台１００ａを折り線Ｌ２に沿って折り、上板２００ａに対して垂直方向に立て、支持台１００ａの両側を互いに交差させてそれぞれの嵌め溝２７０ａを結合させることで、側壁を形成して直立させることができる。
【００３８】
図１１に示したように、上板２００ａは円形で形成され、支持台１００ａは略六角形で折り曲げられ、上板２００ａの内側で直立するように形成される。
【００３９】
一方、図１２に示したように、第４の実施例の他の実施例に係る使い捨ての食品蒸し器用トレイの上板２００ａは四角形で形成され、支持台１００ａと上板２００ａとがつながる部位に、切開線Ｃ１と折り線Ｌ２とが形成され、折り線Ｌ２の両端につながって支持台１００ａに垂直になるように折り線Ｌ３が形成されてなる。
【００４０】
したがって、図１３及び図１４に示したように、支持台１００ａを折り線Ｌ２に沿って折った後、円形に形成した後、両側に交差させて結合するか、又は支持台１００ａを折り線Ｌ２に沿って折って立てた後、六角形に折り曲げ、両側を互いに交差させてそれぞれの嵌め溝２７０ａを結合させることで、側壁を形成して上板の内側で直立させることができる。
【００４１】
［第５の実施例］
図１５は、第５の実施例の他の実施例に係る使い捨ての食品蒸し器用トレイＡ５を示したもので、一定面積を有し、多数の通孔２０２が形成されている上板２００ａと、前記上板２００ａの一側に連結されて形成され、両側に嵌め溝２７０ａが形成されている支持台１００ａとを含み、前記支持台１００ａと上板２００ａとが連結される部位に折りホール２０５ａ’が形成され、前記支持台１００ａを折りホール２０５ａ’に沿って折り、上板２００ａに対して垂直方向に立て、支持台１００ａの両側を互いに交差させてそれぞれの嵌め溝２７０ａを結合させることで、側壁を形成して直立させることができる。又は、図２７のように、上板２００ａの中央には通孔がなく、外周縁に通孔２０６’が形成される形態で製作することもでき、前記外周縁に形成されている通孔２０６’を介して蒸気が排出される。
【００４２】
［第６の実施例］
一方、図１６は本発明の第６の実施例に係る使い捨ての食品蒸し器用トレイを示した展開図、図１７は本発明の他の実施例に係る使い捨ての食品蒸し器用トレイの組み立てられた斜視図、図１８は前記図１６に対する底面図である。
【００４３】
図１６乃至図１８に示したように、本発明の第６の実施例に係る使い捨ての食品蒸し器用トレイＡ６は、一定面積を有する上板２００が形成され、前記上板２００の両側で対称に形成され、両側に嵌め溝２７０ａが形成されている第１の支持台１００ａ及び第２の支持台１００ｂを含み、前記第１の支持台１００ａ及び第２の支持台１００ｂを上板２００ａに対して直角になるように立てて対向するように配置し、第１の支持台１００ａ及び第２の支持台１００ｂの両側を互いに交差させてそれぞれの嵌め溝２７０ａを結合させることで、側壁を形成してなる。
【００４４】
第１の支持台１００ａ及び第２の支持台１００ｂのそれぞれは、一定面積かつ一定長さを有するようにし、長方形の形状でなる。また、第１の支持台１００ａ及び第２の支持台１００ｂのそれぞれには、嵌め溝２７０ａが垂直に長く形成される。
【００４５】
一方、対称に配置された第１の支持台１００ａ及び第２の支持台１００ｂの間に、円形の上板２００ａが部分的に連結されて形成され、上板２００ａと第１の支持台１００ａ及び第２の支持台１００ｂとの連結部位には、弧形の折りホール２０５ａが形成され、折る作用を容易にすることができ、直角の折り角をより容易に具現できるようにした。
【００４６】
上板２００ａには多数の微細通孔２０２ａが形成され、その形状は円形のみに限定する必要はない。上板２００ａの両側には、取っ手２０６ａが突出して形成される。
【００４７】
好ましくは、図１６に示したように、ａ＋ｂ区間の長さはｄ区間の長さよりは大きく、ｃの円弧の長さよりは小さく形成される。したがって、図１８のように、上板２００の両側に第１の支持台１００ａ及び第２の支持台１００ｂを垂直に立てた後、それぞれの嵌め溝２７０ａが互いに嵌められるようにし、上板２００の内側で支持台が垂直した状態で側壁を形成して立てられるので、堅く上板を支持することができる。
【００４８】
［第７の実施例］
図１９は本発明の第７の実施例に係る使い捨ての食品蒸し器用トレイを示した展開図、図２０は前記図１９に対する結合された斜視図である。
【００４９】
第７の実施例に係る使い捨ての食品蒸し器用トレイＡ７は、図１９に示したように、一定面積を有し、多数の通孔２０２が形成されている上板２００ｃと、前記上板２００ｃの一側に連結されて形成され、一側の上部に接合片部１２０ｃが形成されている支持台１００ｃと、を含み、前記支持台１００ｃと上板２００ｃとが連結される部位に折り線１０３が形成され、前記支持台１００ｃを折り線に沿って折り、上板２００ｃに対して垂直方向に立て、前記接合片部１２０ｃを上板２００ｃの底面に接着することで、立面体状に組み立てられる。したがって、支持台１００ｃを折って側壁を形成し、その上部に上板２００ｃを接着して組み立てられる。前記側壁には不規則な折り線が形成され、前記折り線を内側又は外側に折り曲げて剛性を補強するようにしたことを特徴とする。
【００５０】
上板２００ｃは、四角形、円形などの様々な形状で形成され、接合片部１２０ｃも支持台と上板の一側に又は両側に形成され得る。支持台１００ｃは、上板２００ｃの形状にしたがって六面体状（図２０の（ａ、ｂ）参照）に組み立てられるか、又は円柱状（図２０の（ｃ）参照）のような立面体で形成される。図面に示してはいないが、上板が三角形状である場合、三角柱状で形成することができる。前記支持台１００ｃは、四角形又は多角形、円筒形で形成されるが、側壁に複数の折り線１０１を形成し、折り畳むことができるようにする。
【００５１】
したがって、保管する場合は、折り線１０１に沿って折り、支持台１００ｃの嵩を縮小して保管することができ、使用しようとする場合にのみ、支持台１００ｃを繰り広げて立てるものである。支持台１００ｃは、四角形又は多角形、円筒形で形成され、側壁に複数のカッティング線１０３を形成し、折って立てることができるようにする。支持台１００ｃの側壁には、不規則な折り線１０５が形成され、前記折り線１０５を内側又は外側に折り曲げて剛性を補強することができる。
【００５２】
［第８の実施例］
図２１は本発明の第８の実施例の他の実施例に係る使い捨ての食品蒸し器用トレイを示した展開図である。
【００５３】
一定面積を有し、多数の通孔が形成されている上板２００ｃと、前記上板２００ｃの一側に連結されて形成され、一側の上部に接合片部１２０ｃが形成されている支持台１００ｃと、を含み、前記支持台１００ｃと上板２００ｃとが連結される部位に折りホール２０５ａ’が形成され、前記支持台１００ｃを折りホール２０５ａ’に沿って折り、上板２００ｃに対して垂直方向に立て、前記接合片部１２０ｃを上板２００ｃの底面に接着することで、立面体状に組み立てられる。前記側壁には不規則な折り線が形成され、前記折り線を内側又は外側に折り曲げて剛性を補強するようにしたものである。
【００５４】
一方、第１の実施例乃至第８の実施例には、図２２に示したように、支持台１００ａの内部に挿入され、上板２００ａの中央を支持する補助支持台３００が更に含まれる。補助支持台３００は、板紙を縦方向に「＞」形態に折って形成され、上端は上板２００ａの底面に支持され、下端は容器の底面に支持される。
【００５５】
たとえ、本発明を上述した好ましい実施例と関連付けて説明してきたが、発明の要旨と範囲から逸脱することなく、様々な修正及び変形が可能なことは、当業者であれば容易に認識することができるはずであり、このような修正及び変形は、全て添付の請求の範囲に属するものであることは明らかである。
【産業上の利用可能性】
【００５６】
本発明は、調理用鍋や電子レンジ内に据え置き、食べ物を載せることができるようにし、蒸気又は熱源によって食べ物が蒸されるようにする、簡単な使い捨ての蒸し器用トレイとして用いるものである。
【符号の説明】
【００５７】
１００  支持台
１２０  接合片部
２００  上板
２０２  微細通孔
【図１】
2017530729.tif 000003
【図２】
2017530729.tif 000004
【図３】
2017530729.tif 000005
【図４】
2017530729.tif 000006
【図５】
2017530729.tif 000007
【図６】
2017530729.tif 000008
【図７】
2017530729.tif 000009
【図８】
2017530729.tif 000010
【図９】
2017530729.tif 000011
【図１０】
2017530729.tif 000012
【図１１】
2017530729.tif 000013
【図１２】
2017530729.tif 000014
【図１３】
2017530729.tif 000015
【図１４】
2017530729.tif 000016
【図１５】
2017530729.tif 000017
【図１６】
2017530729.tif 000018
【図１７】
2017530729.tif 000019
【図１８】
2017530729.tif 000020
【図１９】
2017530729.tif 000021
【図２０】
2017530729.tif 000022
【図２１】
2017530729.tif 000023
【図２２】
2017530729.tif 000024
【図２３】
2017530729.tif 000025
【図２４】
2017530729.tif 000026
【図２５】
2017530729.tif 000027
【図２６】
2017530729.tif 000028
【図２７】
2017530729.tif 000029
【国際調査報告】
2017530729.tif 000030
2017530729.tif 000031
2017530729.tif 000032
2017530729.tif 000033